(57)【要約】【課題】  異なった複数のクロック周波数において同期できるクロック整形器およびこれを用いた電子機器を提供する。【解決手段】  周波数の異なる複数の基準クロック信号を入力して、いずれか１つを出力する基準クロック信号選択部と、前記複数の基準クロック信号のそれぞれに対応した代替クロック信号を生成する複数の固定発振器と、前記基準クロック信号と代替クロック信号とを入力し、いずれか一方を出力する選択部と、前記基準クロック信号選択部が選択した前記基準クロック信号を監視し、前記基準クロック信号に異常が生じたときに、前記選択部に前記代替クロック信号を出力させる信号検出部と、複数の電圧制御発振器を備え、前記選択部が出力した前記基準クロック信号または前記代替クロック信号に位相を同期させたクロック信号を出力する位相同期回路と、前記固定発振器と前記電圧制御発振器とを動作制御する動作制御部とを有する構成である。【選択図】    図１
2005252587.tif 000002
【特許請求の範囲】
【請求項１】
外部からの信号に基づいた周波数の異なる複数の基準クロック信号を入力し、入力したいずれか１つの前記基準クロック信号を選択して出力する基準クロック信号選択部と、
前記複数の基準クロック信号のそれぞれに対応した代替クロック信号を生成する複数の固定発振器と、
前記基準クロック信号選択部が選択した前記基準クロック信号と、前記固定発振器が生成した代替クロック信号とが入力し、いずれか一方を出力する選択部と、
前記基準クロック信号選択部が選択した前記基準クロック信号を監視し、前記基準クロック信号に異常が生じたときに、前記選択部に前記代替クロック信号を出力させる信号検出部と、
複数の電圧制御発振器を備え、前記選択部が出力した前記基準クロック信号または前記代替クロック信号に位相を同期させたクロック信号を出力する位相同期回路と、
前記基準クロック信号選択部が選択した前記基準クロック信号と位相同期可能な前記電圧制御発振器を動作させるとともに、前記信号検出部が前記選択部に入力する前記基準クロック信号に対応した前記代替クロック信号を生成する前記固定発振器を動作させる動作制御部と、
を有することを特徴とするクロック整形器。
【請求項２】
前記信号検出部で前記基準クロック信号を監視して、前記基準クロック信号が正常なときに全ての前記固定発振器を非動作状態にし、前記基準クロック信号に異常が生じたときに、前記基準クロック信号の周波数に対応した前記固定発振器を動作させることを特徴とする請求項１に記載のクロック整形器。
【請求項３】
前記選択部の前段に、
受信クロック信号と予備クロック信号とを入力し、選択信号に基づいていずれかのクロック信号を選択する第２選択部と、
前記第２選択部で前記受信クロック信号を選択したときに、前記受信クロック信号の異常を監視するとともに、前記異常を検出すると前記第２選択部に切り替え信号を出力する受信クロック信号欠損検出部と、
を設けたことを特徴とする請求項１または２に記載のクロック整形器。
【請求項４】
前記位相同期回路は、
前記選択部から出力する前記基準クロック信号または前記代替クロック信号と、帰還ループからのクロック信号とを入力し位相比較する位相比較部と、
前記位相比較部の出力信号を平滑化するループフィルタと、
前記固定発振器の数に対応するとともに、前記固定発振器の発振周波数に同期する発振周波数を備えた弾性表面波発振器または圧電発振器を有し、前記ループフィルタから出力される制御電圧に応じて発振周波数を変化する前記電圧制御発振器と、
を有することを特徴とする請求項１ないし３のいずれかに記載のクロック整形器。
【請求項５】
前記位相比較部は、
前記信号セレクタから出力するクロック信号を分周する入力分周回路と、
前記帰還ループを介して前記電圧制御発振器から出力するクロック信号を分周する帰還分周回路と、
前記入力分周回路と前記帰還分周回路とから出力するクロック信号の位相差を比較し、前記位相差に応じた位相差信号を出力する位相比較回路と、
を備えたことを特徴とする請求項４に記載のクロック整形器。
【請求項６】
請求項１ないし５のいずれかに記載のクロック整形器を備えたことを特徴とするクロック整形器を用いた電子機器。
【発明の詳細な説明】
【技術分野】
【０００１】
本発明はクロック整形器およびクロック整形器を用いた電子機器に係り、特に入力するクロック信号に欠損が生じたときに、他のクロック信号へ切り替えてシステムの同期を図るクロック整形器およびクロック整形器を用いた電子機器に関する。
【背景技術】
【０００２】
ネットワークにおけるクロック信号の役割は、ネットワーク内に共通の周波数を分配し、ネットワークを同期化することである。そしてネットワークのマスタ局から各スレーブ局に基準クロック信号が分配され、各スレーブ局でネットワークの伝送路から受信したデータよりタイミング抽出した受信クロック信号に基づいて、送受信処理が行われている。
【０００３】
ところで、ネットワークに回線障害が発生した場合、スレーブ局では伝送路からデータを正常に受信できなくなり、受信クロック信号を再生できなくなる。この場合、回線障害が復旧するまでスレーブ局では送受信処理を行うことができない。これを防ぐために、スレーブ局内にマスタ局から出力された基準クロック信号に同期するクロック供給装置が設けられ、回線障害が復旧するまで、このクロック供給装置から出力される予備クロック信号に基づいて送受信処理が行われる。また受信クロック信号または予備クロック信号に、一定時間内にクロック信号の欠落した状態（欠損）が発生した場合は、スレーブ局内に設けられている固定発振器から出力されるクロック信号に基づいて送受信処理が行われる。
【０００４】
ネットワークの通信システムを構成する伝送装置等には、位相同期（ＰＬＬ）回路を利用したクロック整形器が使用される。そしてクロック整形器の前段には、受信クロック信号と予備クロック信号とを入力し、いずれかのクロック信号を選択する選択部や、受信クロック信号または予備クロック信号と固定発振器から出力される代替クロック信号とを入力して、いずれかのクロック信号を選択する選択部が設けられている。
【０００５】
なお２つのクロック信号を入力して、１つのクロック信号をＰＬＬ回路へ出力する装置について開示されたものとして特許文献１および２が挙げられる。特許文献１には、瞬断等のためにクロック信号を切り替える場合、クロック信号切替回路とＰＬＬ回路の間に設けられた自走制御回路において、クロック信号切替回路から出力される選択クロックに常時同期させておいた自走クロックをＰＬＬ回路へ出力して、クロック信号の切り替え動作中におけるＰＬＬ回路の出力の周波数変動を抑止することが開示されている。また特許文献２には、第１クロック信号から第２クロック信号へ切り替える場合、ＰＬＬ回路の入力側に設けられた切替え装置において、発振器から出力されるクロック信号を第１クロック信号に位相同期させて切り替えた後、この発振器から出力されるクロック信号と第２クロック信号との位相差が所定値以下となったときに第２クロック信号へ切り替えることが開示されている。
【特許文献１】特開平１０−６５５３６号公報
【特許文献２】特開２００１−２４４８１２号公報
【発明の開示】
【発明が解決しようとする課題】
【０００６】
上述した従来技術に係るクロック整形器において、回線障害等に備えて固定発振器を設けた場合、固定発振器を常時発振させておくと、選択部には受信クロック信号または予備クロック信号（基準クロック信号）と、固定発振器から出力された代替クロック信号とが入力される。そして基準クロック信号と固定発振器から出力された代替クロック信号との周波数が異なる場合、選択部から出力される信号に位相雑音が発生する問題点がある。
【０００７】
またＰＬＬ回路中には電圧制御発振器が設けられているが、１つの電圧制御発振器では同期できる周波数の範囲に限界があり、異なった複数のクロック周波数において同期できない問題点があった。
【０００８】
本発明は、上記問題点を解決するためになされたもので、異なった複数のクロック周波数において同期できるとともに、入力するクロック信号に位相雑音を生じることがなく、かつ基準クロック信号に障害が発生して同期が取れなくなった場合でも、早期に同期補償が行えるクロック整形器およびクロック整形器を用いた電子機器を提供することを目的とする。
【課題を解決するための手段】
【０００９】
上記目的を達成するために、本発明に係るクロック整形器は、外部からの信号に基づいた周波数の異なる複数の基準クロック信号を入力し、入力したいずれか１つの前記基準クロック信号を選択して出力する基準クロック信号選択部と、前記複数の基準クロック信号のそれぞれに対応した代替クロック信号を生成する複数の固定発振器と、前記基準クロック信号選択部が選択した前記基準クロック信号と、前記固定発振器が生成した代替クロック信号とが入力し、いずれか一方を出力する選択部と、前記基準クロック信号選択部が選択した前記基準クロック信号を監視し、前記基準クロック信号に異常が生じたときに、前記選択部に前記代替クロック信号を出力させる信号検出部と、複数の電圧制御発振器を備え、前記選択部が出力した前記基準クロック信号または前記代替クロック信号に位相を同期させたクロック信号を出力する位相同期回路と、前記基準クロック信号選択部が選択した前記基準クロック信号と位相同期可能な前記電圧制御発振器を動作させるとともに、前記信号検出部が前記選択部に入力する前記基準クロック信号に対応した前記代替クロック信号を生成する前記固定発振器を動作させる動作制御部と、を有することを特徴としている。
【００１０】
これにより基準クロック信号の周波数に対応した周波数を有する代替クロック信号を固定発振器から出力できるので、基準クロック信号に欠損の異常が生じても代替クロック信号を用いて早期に同期補償できる。また異なる周波数の基準クロック信号または代替クロック信号が入力されても、電圧制御発振器からそれぞれの周波数に対応したクロック信号を出力できるので、異なった複数のクロック周波数において基準クロック信号または代替クロック信号と位相同期を行うことができる。
【００１１】
また前記信号検出部で前記基準クロック信号を監視して、前記基準クロック信号が正常なときに全ての前記固定発振器を非動作状態にし、前記基準クロック信号に異常が生じたときに、前記基準クロック信号の周波数に対応した前記固定発振器を動作させることを特徴としている。これにより基準クロック信号が正常なときは、固体発振器から代替クロック信号が出力しないので、選択部から出力される基準クロック信号に位相雑音が生じることがなく、高品質なクロック信号を出力できる。
【００１２】
また前記選択部の前段に、受信クロック信号と予備クロック信号とを入力し、選択信号に基づいていずれかのクロック信号を選択する第２選択部と、前記第２選択部で前記受信クロック信号を選択したときに、前記受信クロック信号の異常を監視するとともに、前記異常を検出すると前記第２選択部に切り替え信号を出力する受信クロック信号欠損検出部と、を設けたことを特徴としている。これにより受信クロック信号に欠損が発生すると予備クロック信号に切り替えることができ、早期に同期補償できる。また予備クロック信号に欠損が発生した場合でも、固定発振器から出力される代替クロック信号に基づいて、システムを早期に同期補償できる。
【００１３】
また前記位相同期回路は、前記選択部から出力する前記基準クロック信号または前記代替クロック信号と、帰還ループからのクロック信号とを入力し位相比較する位相比較部と、前記位相比較部の出力信号を平滑化するループフィルタと、前記固定発振器の数に対応するとともに、前記固定発振器の発振周波数に同期する発振周波数を備えた弾性表面波発振器または圧電発振器を有し、前記ループフィルタから出力される制御電圧に応じて発振周波数を変化する前記電圧制御発振器と、を有することを特徴としている。これにより選択部から出力された基準クロック信号または代替クロック信号の周波数に対応し、異なった複数のクロック周波数において位相同期できる。さらに電圧制御発振器に、弾性表面波発振器または圧電発振器を用いると、低いジッタ特性を確保することができる。
【００１４】
また前記位相比較部は、前記信号セレクタから出力するクロック信号を分周する入力分周回路と、前記帰還ループを介して前記電圧制御発振器から出力するクロック信号を分周する帰還分周回路と、前記入力分周回路と前記帰還分周回路とから出力するクロック信号の位相差を比較し、前記位相差に応じた位相差信号を出力する位相比較回路と、を備えたことを特徴としている。これによりクロック信号を低周波化しているので、高精度に位相比較できる。
【００１５】
また本発明に係るクロック整形器を用いた電子機器は、上述したクロック整形器を備えたことを特徴としている。これにより外部の装置等において欠損の検出遅れや、切り替え動作の遅れが発生しても早期に同期補償できる電子機器を得ることができる。
【発明を実施するための最良の形態】
【００１６】
以下に、本発明に係るクロック整形器およびクロック整形器を用いた電子機器の好ましい実施の形態について説明する。図１にクロック整形器のブロック図を示す。クロック整形器１０は周波数の異なる複数の基準クロック信号を入力する基準クロック信号選択部１２を有し、この基準クロック信号選択部１２が外部からの周波数選択信号に基づいて、いずれか１つの基準クロック信号を選択して出力する構成となっている。この基準クロック信号選択部１２の後段に信号セレクタ３０が接続され、基準クロック信号選択部１２から出力した基準クロック信号Ｓ１を入力している。
【００１７】
また信号セレクタ３０の前段に複数の固定発振器２０（２０ａ，２０ｂ）が設けられている。固定発振器２０はそれぞれ異なる発振周波数を有し、この発振周波数は基準クロック信号選択部１２に入力する基準クロック信号の周波数（ｆ１，ｆ２）にそれぞれ対応している。したがって固定発振器２０から出力される代替クロック信号Ｓ２の周波数は前記基準クロック信号の周波数（ｆ１，ｆ２）にそれぞれ対応している。そして固定発振器２０は複数の中からいずれか１つを動作するよう動作制御されているので、１つの固定発振器２０から信号セレクタ３０へ代替クロック信号Ｓ２を出力するようになっている。
【００１８】
なお図１では、基準クロック信号選択部１２に入力する基準クロック信号の数を２つとし、また固定発振器２０の数を２つとした形態で記載しているが、この形態に限定されることはなく、３つ以上の基準クロック信号が基準クロック信号部１２に入力し、固定発振器２０を３つ以上設けてもよい。この場合、基準クロック信号の周波数と、固定発振器２０の発振周波数を対応させる必要がある。
【００１９】
前記信号セレクタ３０は基準クロック信号Ｓ１と代替クロック信号Ｓ２とのいずれかを選択し、基準クロック信号Ｓ１が選択されたときに、この基準クロック信号Ｓ１の異常、すなわち欠損を監視している。ここで欠損とは、一定時間、クロック信号が欠落した状態を意味するものとする。すなわち、例えば瞬断時のように短時間の欠落した状態や、伝送装置や回線において発生した障害によりクロック信号が生成されず、信号の欠落した状態が比較的長い時間継続する状態をいう。また信号セレクタ３０は、基準クロック信号Ｓ１に欠損を検出した場合に固定発振器２０へ制御信号を出力するようになっている。そして信号セレクタ３０で選択された基準クロック信号Ｓ１または代替クロック信号Ｓ２は、クロック信号Ｓ３として出力される。
【００２０】
この信号セレクタ３０の後段に位相同期（ＰＬＬ）回路４０が接続されている。このＰＬＬ回路４０は、信号セレクタ３０から出力されたクロック信号Ｓ３と、帰還ループからのクロック信号Ｓ５との位相差を比較し、比較結果に基づいた位相差信号Ｓ４を出力する位相比較部５０と、位相差信号Ｓ４を平滑化し制御電圧Ｖｃとして出力するループフィルタ６０と、この制御電圧Ｖｃに応じて周波数が変化するクロック信号Ｓ５を出力するＤＵＡＬ型電圧制御発振器７０とから構成されている。
【００２１】
このＤＵＡＬ型電圧制御発振器７０は、２つの弾性表面波（ＳＡＷ）素子片または圧電振動片を発振回路とともにパッケージに搭載して、２種類の発振周波数を出力するものである。そしてＤＵＡＬ型電圧制御発振器７０の発振周波数は、複数の固定発振器２０の発振周波数、および基準クロック信号選択部１２に入力される複数の基準クロック信号にそれぞれ同期するように設定されている。またＤＵＡＬ型電圧制御発振器７０は動作制御されて、固定発振器２０に同期するＳＡＷ発振器または圧電発振器が発振するようになっている。すなわち、ある固定発振器２０が発振して代替クロック信号Ｓ２を出力している場合、この固定発振器２０と同期するＳＡＷ発振器または圧電発振器が選択されて発振し、クロック信号Ｓ５を出力している。なお本実施の形態では電圧制御発振器をＤＵＡＬ型としているが、この形態に限定されることはなく、３つ以上のＳＡＷ素子片または圧電振動片を搭載して、３種類以上の発振周波数を出力するようにしてもよい。この場合ＳＡＷ素子片または圧電振動片の数は、固定発振器２０の数と同数にする必要がある。
【００２２】
またクロック整形器１０には、固定発振器２０とＤＵＡＬ型電圧制御発振器７０とに接続し、それぞれに動作制御信号を出力する動作制御部８０が設けられている。前記動作制御信号は、動作制御部８０に入力される周波数選択信号に基づいて出力され、複数の固定発振器２０の中から１つだけを選択するとともに、この選択された固定発振器２０の発振周波数に同期するＳＡＷ発振器または圧電発振器を選択するものである。したがって基準クロック信号選択部１２で選択されている基準クロック信号の周波数に対応した発振周波数を有する固定発振器２０と、ＤＵＡＬ型電圧制御発振器７０のＳＡＷ発振器または圧電発振器とが選択されている。
【００２３】
そして選択された固定発振器２０に制御信号が入力されると発振を開始して、代替クロック信号Ｓ２を出力するとともに、選択されたＳＡＷ発振器または圧電発振器が制御電圧Ｖｃに基づいて発振し、低ジッタ特性のクロック信号Ｓ５を出力するようになっている。また信号セレクタ３０で基準クロック信号Ｓ１が選択され、固定発振器２０に制御信号が入力していない場合、動作制御部８０により選択されたＳＡＷ発振器または圧電発振器が基準クロック信号Ｓ１に同期するよう制御電圧Ｖｃに基づいて発振している。なお動作制御部８０により選択されていない固定発振器２０に、信号セレクタ３０から制御信号が入力されても、この固定発振器２０は発振しない。
【００２４】
次に、上述したクロック整形器１０のさらに詳しい構成を説明する。図２にクロック整形器１０の各構成を説明するブロック図を示す。固定発振器２０は基準クロック信号Ｓ１に欠損を発生している状態が継続している場合に、一時的な同期確保のためのクロック信号源として用いられる。したがって固定発振器２０として、水晶等からなるＡＴカット圧電発振器を用いた発振回路、またはＳＡＷ発振器を用いた発振回路のいずれかを用いればよい。そして固定発振器２０は制御部２２を有し、この制御部２２で固定発振器２０を電源制御または発振制御している。すなわち信号セレクタ３０で基準クロック信号Ｓ１を選択している場合、固定発振器２０は制御部２２により制御されて非動作状態となり、代替クロック信号Ｓ２を信号セレクタ３０へ出力していない。また動作制御部８０からの動作制御信号は制御部２２に入力されて、複数の固定発振器２０の中からいずれの固定発振器２０を発振させるのか選択している。
【００２５】
前記信号セレクタ３０は選択部３２と信号検出部３４とを備えた構成である。前記選択部３２は、基準クロック信号Ｓ１と代替クロック信号Ｓ２とのいずれかを、外部からの選択信号により選択するものである。また信号検出部３４は、選択部３２で基準クロック信号Ｓ１が選択されているときに、この基準クロック信号Ｓ１の欠損を監視するものである。そして信号検出部３４は基準クロック信号Ｓ１に欠損を検出すると、制御部２２に対して固定発振器２０を動作させる制御信号を出力するとともに、選択部３２に対して切り替え信号ＣＮＴを出力するものである。選択部３２では切り替え信号ＣＮＴを入力すると、外部からの選択信号に優先して、固定発振器２０から出力された代替クロック信号Ｓ２へ強制的に切り替えられる。なお固定発振器２０からの代替クロック信号Ｓ２に切り替えられた場合、信号検出部３４は前記代替クロック信号Ｓ２の監視を行わない。なお信号セレクタ３０では基準クロック信号Ｓ１に欠損を検出すると、自動的に固定発振器２０から出力される代替クロック信号Ｓ２に切り替える構成であるが、必要に応じて手動で切り替える構成であってもよい。
【００２６】
前記位相比較部５０は、選択部３２の後段に設けられた入力分周回路５２（分周比１／Ｍ）と、帰還ループに設けられた帰還分周回路５４（分周比１／Ｎ）と、入力分周回路５２および帰還分周回路５４の後段に設けられた位相比較回路５６とから構成されている。入力分周回路５２および帰還分周回路５４は、それぞれに入力されるクロック信号の低周波化を図るものである。そして選択部３２から出力されたクロック信号Ｓ３を入力分周回路５２で１／Ｍに分周し、ＤＵＡＬ型電圧制御発振器７０から出力された帰還ループ用のクロック信号Ｓ５を帰還分周回路５４で１／Ｎに分周し、位相比較回路５６でそれぞれのクロック信号の位相差を比較して、位相差に応じた電圧レベルの位相差信号Ｓ４をループフィルタ６０に出力している。
【００２７】
次に、クロック整形器１０の動作について説明する。まず基準クロック信号Ｓ１に欠損が検出されない正常時の動作について説明する。基準クロック信号Ｓ１が選択部３２に入力され、また選択端子ＳＥＬから入力された選択信号により、基準クロック信号Ｓ１が選択部３２で選択されている。このとき動作制御部８０からの動作制御信号により、１つの固定発振器２０と、この固定発振器２０の発振周波数に同期するＳＡＷ発振器または圧電発振器が選択されているが、この固定発振器２０に信号セレクタ３０からの制御信号が入力されていないので、この固定発振器２０は発振していない。選択部３２から出力したクロック信号Ｓ３は信号検出部３４で欠損を監視されるが、正常時においては欠損が生じていないので、前記クロック信号Ｓ３はそのまま位相比較部５０に入力される。またＤＵＡＬ型電圧制御発振器７０から出力された帰還ループのクロック信号Ｓ５も位相比較部５０に入力される。そして選択部３２から出力されたクロック信号Ｓ３は入力分周回路５２で１／Ｍに分周された後、位相比較回路５６に入力される。また帰還ループのクロック信号Ｓ５も帰還分周回路５４で１／Ｎに分周された後、位相比較回路５６に入力される。位相比較回路５６では分周されて低周波化されたそれぞれのクロック信号の位相差を比較して、比較した結果を位相差信号Ｓ４としてループフィルタ６０に出力している。ループフィルタ６０では位相差信号Ｓ４を平滑化して、制御電圧ＶｃをＤＵＡＬ型電圧制御発振器７０に出力している。ＤＵＡＬ型電圧制御発振器７０では、動作制御部８０で選択されたＳＡＷ発振器または圧電発振器が制御電圧Ｖｃに応じてクロック信号Ｓ５の周波数を変化させ、前記クロック信号Ｓ５を出力している。なおＤＵＡＬ型電圧制御発振器７０はＳＡＷ発振器または圧電発振器を用いているので、低ジッタのクロック信号Ｓ５を出力している。
【００２８】
次に、基準クロック信号Ｓ１に欠損が検出された異常時の動作について説明する。基準クロック信号Ｓ１に欠損を生じているので、選択部３２から出力されるクロック信号Ｓ３にも欠損が生じることになる。このクロック信号Ｓ３の欠損は信号検出部３４で検出される。欠損を検出した信号検出部３４は、固定発振器２０の制御部２２に対して制御信号を出力するとともに、切り替え信号ＣＮＴを生成して選択部３２に出力する。固定発振器２０では、動作制御部８０からの動作制御信号を入力しているもののみ制御信号を入力すると発振を開始して、選択部３２に代替クロック信号Ｓ２を出力する。また選択部３２では、切り替え信号ＣＮＴにより強制的に固定発振器２０からの代替クロック信号Ｓ２に切り替えられ、この代替クロック信号Ｓ２に基づいて同期が補償されることになる。そして固定発振器２０から出力された代替クロック信号Ｓ２が選択部３２で選択された後、クロック信号Ｓ３として位相比較部５０に入力される。なお位相比較部５０以降の動作については、正常時の位相比較部５０以降の動作と同様なので、説明を省略する。
【００２９】
このようなクロック整形器１０は、複数の固定発振器２０と、ＰＬＬ回路４０中に複数のＳＡＷ発振器または圧電発振器を有する電圧制御発振器とを設けたので、異なった複数のクロック周波数において同期をとることができるとともに、低いジッタ特性を得ることができる。また固定発振器２０と電圧制御発振器とを動作制御部８０に接続して、複数の中から１つの固定発振器２０とＳＡＷ発振器または圧電発振器とを選択できるようにしたので、異なった複数のクロック周波数に対応して同期をとることができる。
【００３０】
また基準クロック信号Ｓ１と代替クロック信号Ｓ２とのいずれかを選択する選択部３２と、基準クロック信号Ｓ１の欠損を監視する信号検出部３４とが設けられている。そして信号検出部３４で基準クロック信号Ｓ１に欠損が検出されない正常時では、固定発振器２０は発振せず、代替クロック信号Ｓ２を出力していない。このため選択部３２には基準クロック信号Ｓ１のみが入力される。したがってクロック信号Ｓ３に位相雑音が生じることがないので、雑音のない高品質なクロック信号を得ることができる。
【００３１】
また基準クロック信号Ｓ１に欠損が生じた場合は、信号検出部３４でその欠損を検出し、強制的に固定発振器２０からの代替クロック信号Ｓ２に切り替えることができる。したがって他の装置や機能ブロックにおいて検出の遅れや切り替え動作の遅れが発生しても、クロック整形器１０が保有する固定発振器２０に基づいた代替クロック信号Ｓ２によりシステムの同期を早期に確保できる。
【００３２】
なお上述した実施の形態のクロック整形器１０を、ネットワークの通信システムを構成する伝送装置等に用いる場合、通信システムの同期補償を確保するために、伝送路から受信したデータよりタイミング抽出した受信クロック信号と、マスタ局または準マスタ局の基準クロック信号に同期した、外部のクロック供給装置から供給される予備クロック信号とを入力して、いずれか一方を選択するクロック信号選択部が設けられる。このクロック信号選択部は、基準クロック信号選択部１２と信号セレクタ３０の間に接続される。そして基準クロック信号が受信クロック信号となる。
【００３３】
図３にクロック信号選択部のブロック図を示す。クロック信号選択部９０は第２選択部９２と受信クロック信号欠損検出部９４とから構成されている。前記第２選択部９２は受信クロック信号ＳＲ（基準クロック信号Ｓ１）と、予備クロック信号ＳＢとを入力し、外部からの第２選択信号により、いずれか一方のクロック信号を選択するものである。なお予備クロック信号ＳＢは受信クロック信号ＳＲ（基準クロック信号Ｓ１）に同期している。また受信クロック信号欠損検出部９４は第２選択部９２で受信クロック信号ＳＲが選択されているときに、この受信クロック信号ＳＲの欠損を監視するものである。
【００３４】
次に、クロック信号選択部９０の動作について説明する。受信クロック信号ＳＲおよび予備クロック信号ＳＢが第２選択部９２に入力され、第２選択端子ＳＥＬ２から第２選択部９２へ入力される第２選択信号により受信クロック信号ＳＲが選択されている。選択された受信クロック信号ＳＲは第２選択部９２から出力され、受信クロック信号欠損検出部９４で欠損が監視される。そして欠損が検出されない正常時であれば、受信クロック信号ＳＲは選択部３２に入力され、信号検出部３４で欠損の監視が行われることなく位相比較部５０に入力される。
【００３５】
また受信クロック信号ＳＲを選択し、第２選択部９２から出力された受信クロック信号ＳＲに欠損が検出された異常時であれば、受信クロック信号欠損検出部９４は第２選択部９２に対して第２切り替え信号ＣＮＴ２を出力する。第２選択部９２では第２切り替え信号ＣＮＴ２を入力すると、外部からの第２選択信号に優先して、予備クロック信号ＳＢに強制的に切り替える。そして選択された予備クロック信号ＳＢは第２選択部９２から出力され、受信クロック信号欠損検出部９４で欠損の監視が行われることなく選択部３２に入力される。この選択部３２から出力されると、信号検出部３４で欠損の監視が行われる。そして信号検出部３４で欠損の監視が行われた以降の動作は、上述した実施の形態の動作に従って行われるので、これ以降の説明を省略する。
【００３６】
このようなクロック信号選択部９０を、基準クロック信号選択部１２と信号セレクタ３０の間に設けることにより、受信クロック信号ＳＲに欠損が発生した場合、クロック信号選択部９０でこの欠損を検出して予備クロック信号ＳＢに切り替えることができる。また予備クロック信号ＳＢに欠損が発生した場合、信号セレクタ３０でこの欠損を検出して固定発振器２０から出力される代替クロック信号Ｓ２に切り替えることができる。したがって他の装置や機能ブロックにおいて検出の遅れや切り替え動作の遅れが発生しても、予備クロック信号ＳＢや固定発振器２０から出力される代替クロック信号Ｓ２によりシステムの同期を早期に確保できる。
【００３７】
次に、クロック信号選択部３２を備えたクロック整形器１０を、電子機器に搭載した一例について説明する。図４にクロック整形器１０を用いた光トランシーバ用モジュールの概略を示すブロック図を示す。この光トランシーバ用モジュール１００は、例えばサーバ用コンピュータと光ネットワークとの間で、光／電気変換および電気／光変換と多重化および多重分離のためのインターフェース機能を実現するものである。
【００３８】
クロック整形器１０はタイミング抽出部１０１でタイミング抽出されたジッタの多い低周波クロック信号（ＲＣＫ）と、外部のクロック供給装置等（不図示）から送出された予備クロック信号（ＴｘＲＣＫ）とを入力する。正常時にはこのジッタの多いクロック信号（ＲＣＫ）は、クロック整形器１０内において第１および第２選択信号ＣＮＴ１，２に基づいて選択され、ジッタが低減された高周波のクロック信号（ＳＣＫ）に整形される。そしてこのクロック信号（ＳＣＫ）は多重化部１０２において、Ｎ個の送信データ（ＴｘＤＡＴＡ）を１つの送信データとして多重化するためのクロック信号として用いられる。
【００３９】
そして上述したクロック整形器１０を光トランシーバ用モジュール１００に用いることにより、選択されたクロック信号に欠損が生じるとクロック整形器１０でクロック信号の欠損を検出し、予備クロック信号または固定発振器２０から出力されるクロック信号に強制的に切り替えることができる。特に、外部装置や他の機能ブロックにおいて欠損の検出の遅れや切り替え動作の遅れが発生した場合に、その優先的な切り替えにより早期の同期確保を補償できる。
【００４０】
またジッタを多く含んだ受信クロック信号を入力した場合、上述したクロック整形器１０により、極めてジッタの少ない高周波数のクロック信号に変換して多重化部１０２へ供給することができる。これにより、多重化部１０２において多重化する送信データ（ＴｘＤＡＴＡ×Ｎ）とクロック信号との間におけるタイミングマージンが確保されるので、多重化部１０２の送信データの誤作動を防止できる。
【図面の簡単な説明】
【００４１】
【図１】クロック整形器のブロック図である。
【図２】クロック整形器の各構成を説明するブロック図である。
【図３】クロック信号選択部のブロック図である。
【図４】クロック整形器を用いた光トランシーバ用モジュールの概略を示すブロック図である。
【符号の説明】
【００４２】
１０………クロック整形器、２０………固定発振器、３０………信号セレクタ、４０………位相同期（ＰＬＬ）回路、５０………位相比較部、６０………ループフィルタ、７０………ＤＵＡＬ型電圧制御発振器、８０………動作制御部、９０………クロック信号選択部。
【図１】
2005252587.tif 000003
【図２】
2005252587.tif 000004
【図３】
2005252587.tif 000005
【図４】
2005252587.tif 000006